(57)【要約】本出願は、従来、製造及び流通されているウェットティッシュが最初から乾ティッシュに水を含ませて包装されるため、防腐剤や界面活性剤、殺菌剤、保湿剤が含まれた水を使用せざるを得ないこととは異なり、好ましくは１００％天然レーヨン材質の乾ティッシュと、前記の化学添加物を含まない３次蒸留水（ｕｌｔｒａ  ｐｕｒｅ  ｗａｔｅｒ）を分離して包装し、必要なときに互いに結合させ、その時点から使用期限が始まるようにすることで、防腐剤を使用しなくても腐敗を抑制する期間を最大に延長させて使用することができるだけでなく、保湿剤も添加する必要がないので、弱くて敏感な肌を持つ乳幼児に安心して使用することができる乳幼児用ウェットティッシュを提供する。
2014528795.tif 000002
【特許請求の範囲】
【請求項１】
蒸留水と乾ティッシュが、それぞれ密閉状態で分離包装され、
必要なときに前記蒸留水を前記乾ティッシュに注いで使用することができるようにしたことを特徴とする乳幼児用ウェットティッシュ。
【請求項２】
前記蒸留水は、３次蒸留水であることを特徴とする請求項１に記載の乳幼児用ウェットティッシュ。
【請求項３】
前記乾ティッシュは、純綿材質であることを特徴とする請求項２に記載の乳幼児用ウェットティッシュ。
【請求項４】
前記乾ティッシュは、天然レーヨン材質であることを特徴とする請求項２に記載の乳幼児用ウェットティッシュ。
【請求項５】
前記乾ティッシュは、１０〜５０枚が積層され、包装されることを特徴とする請求項１に記載の乳幼児用ウェットティッシュ。
【請求項６】
必要なときに３次蒸留水を乾ティッシュに注ぎ、ウェットティッシュとして使用することができるよう、３次蒸留水と乾ティッシュがそれぞれ密閉状態で分離包装されたことを特徴とする乳幼児用ウェットティッシュの取扱方法。
【請求項７】
前記乾ティッシュは、純綿材質であることを特徴とする請求項６に記載の乳幼児用ウェットティッシュ。
【請求項８】
前記乾ティッシュは、天然レーヨン材質であることを特徴とする請求項６に記載の乳幼児用ウェットティッシュ。
【発明の詳細な説明】
【技術分野】
【０００１】
本出願は、乳幼児用ウェットティッシュに関するもので、更に詳細には必要なときに乾ティッシュに蒸留水を注ぎ、ウェットティッシュとして使用することができる乳幼児用ウェットティッシュ及びその取扱方法に関するものである。
【背景技術】
【０００２】
一般的に水分を含む対象物は空気中に晒されると、細菌が繁殖し、腐敗することになる。
【０００３】
水分を含んだままの状態であることから室内のみならず野外でもおしぼりの代わりに使えるウェットティッシュも、乾ティッシュに水を注ぎ、製造される時点から空気中のウイルスやカビなどに晒され、腐敗が始まる。
【０００４】
よって、ウェットティッシュは短ければ６ヶ月、長ければ２〜３年という使用期限を有する。また、各家庭において長い間使用中にも様々な汚染源と有害菌の繁殖を抑え、カビが発生しないようにするため、一般的にウェットティッシュには防腐剤、殺菌剤、界面活性剤、保湿剤などの化学添加物を入れて流通している。
【０００５】
前記化学添加物のうち、水を注いで生産するウェットティッシュの特性上、使用せざるを得ない防腐剤としてはパラベンが代表的に挙げられるが、近来、パラベンの人体に対する有害性のため、ウェットティッシュへの添加が抑えられている。しかし、パラベンを入れないだけで、それに代わる防腐剤成分が含まれており、例えそれが微量であっても長い間使用し続けられると人体内に蓄積される可能性があるため、危険となる。その他、殺菌剤は言うまでもなく界面活性剤も皮膚を通して血液に直接浸透すると、自然分解ができないため、人体の外に排出されず人体の中に残ってしまい、皮膚病といった悪影響を与える恐れがある。
【０００６】
乳幼児のおむつを交換するときや食事するとき、特に外出先で便利に使えることからウェットティッシュが母親にとって必需品となった状況の下で、大人を基準とした数値の化学添加物を入れたウェットティッシュを、弱くて敏感な肌を持つ乳幼児に使用するにあたり母親が不安を感じ、また、免疫力の弱い乳幼児に性ホルモンの分泌撹乱、たんぱく質の破壊、皮膚老化の促進、発疹、アトピ、アレルギー性接触皮膚炎、及び細胞に害を及ぼすなど、致命的な状況を引き起こす可能性があり、健康を脅かす社会的問題となっている。
【０００７】
既存の防腐剤のうち、最も安全で化粧品や医薬品に汎用的に使われるパラベン類の防腐剤さえ皮膚アレルギー（Ａｎｄｒｅａ Ｃｏｕｎｔｉ ｅｔ ａｌ.Ｃｏｎｔａｃｔ Ｄｅｒｍａｔｉｔｉｓ,  １９９７,  ３７；３５−３６）、環境ホルモンとしての可能性（Ｅｄｗｉｎ  ｅｔ  ａｌ.,  Ｔｏｘｉｃｏｌｏｇｙ  ａｎｄ  ａｐｐｌｉｅｄ  ｐｈａｒｍａｃｏｌｏｇｙ,  １９９８,  １５３；１２−１９）及び耐性菌誘発という問題を持っているため、乳幼児にとっては添加量が少量であっても安全性の面で避けることが望ましいが、少ないコストで大きな効果を得るために一部のウェットティッシュは定められた量以上を使用しているのが実状である。
【０００８】
そのため、流通・保管期間が長くなるに連れ、腐敗や変質が発生することを防止するためにやむを得ず使用してきた防腐剤をはじめとする界面活性剤、殺菌剤、保湿剤といった化学添加物を使用しなくても比較的に便利で安心して使用することができるウェットティッシュの必要性が台頭している。殆どのウェットティッシュの製造業者も特に防腐剤の過多使用の危険について認知し、天然防腐剤を使用するなど様々なトライをしている。
【０００９】
防腐剤やその他の化学添加物が含まれたウェットティッシュが相対的に免疫力の弱い乳幼児によく使われていることに着目し、それとは反対に防腐剤を使用しないため、肌に対する安全性のあるウェットティッシュを提供できる提案の一つとして、ウェットティッシュから水を分離し、別途管理することが挙げられる。
【００１０】
前記のようなウェットティッシュの製造に使用される水は、沸かすか否かによって次のように分けられる。
【００１１】
まず、沸かしていない水として生水と濾過水がある。生水には各種有機質及び無機質成分が含まれているので、短時間に変質や腐敗する可能性がある。また、濾過水はフィルタを通過する際、カルシウムや一部の固形物質は除去されるが、バクテリアやウイルスは除去されず、更に腐敗物質がフィルタの底に溜まると、バクテリアを増殖させる良い繁殖所を提供することになる。
【００１２】
次に、沸かしたお湯について説明すると、お湯を沸かす過程で殆どのウイルスやバクテリアがなくなる。かかる例として韓国公開特許第１０−２００９−００３４４７２号（発明の名称：棒状の水筒と共に包装された無防腐剤の使い捨てティッシュ）には、図１に示すように、市販されているウェットティッシュを高級化するため、製品を出荷する際にはティッシュに水分を含ませず、ティッシュと水を別にして一つのパッケージに入れ、ユーザーが使う際に棒状の水筒を破裂させることで、ティッシュに水分を含ませるという内容が開示されている。
【００１３】
前記棒状の水筒と共に包装された無防腐剤の使い捨てティッシュという発明は、ティッシュに水分を含ませて出荷する過程から腐敗が発生するため、必ず防腐剤を使用する一般的なウェットティッシュとは異なり、滅菌精製水を棒状の軽質プラスチック水筒（ウ）の中に入れて密封し、棒状の水筒（ウ）の周りに巻かれたティッシュ（イ）と共にビニール（ア）の中に入れて包装したため、使用期限が長くても腐敗することなく、使用時にティッシュに水を含ませて無防腐剤ウェットティッシュとして使用することができる。
【００１４】
また、塩水を電気分解してイオン化させ、殺菌水を直接作り、乾ティッシュに含浸させてウェットティッシュとして使えるようにする装置が提案され、母親に防腐剤などの有害物質から子供を守れるようにしている。
【００１５】
しかし、お湯を沸かすと殆どのバクテリアを除去することができるが、無機ミネラルを除去することはできない。また、沸かしたお湯に残っている死んだ物質は、生きている細菌が迅速、かつ、旺盛に繁殖できる良い環境としての役割をすることになる。
【００１６】
そのため、殺菌処理を行わなければならず、そのための別途装置を用いなければならないが、お湯を沸かして冷やす過程が非常に煩わしいだけでなく、コストも上がるという問題があった。また、防腐剤を入れないため、２〜３日経てば細菌が繁殖して使用できる期間が短くなり、ユーザーに負担がかかった。
【発明の開示】
【発明が解決しようとする課題】
【００１７】
本発明は、前記のような問題を解決するため、乳幼児に使うウェットティッシュに防腐剤、殺菌剤、界面活性剤、保湿剤といった化学添加物を使用しないことにより、それらの化学添加物を使用することによって発生する問題を解決し、必要なときに３次蒸留水（ｕｌｔｒａ  ｐｕｒｅ  ｗａｔｅｒ）を入れ、化学添加物を使用することで得られる作用効果をそのまま、または更に良く発揮するようにして、弱くて敏感な肌を持つ乳幼児に安心して使用することができる乳幼児用ウェットティッシュ及びその取扱方法を提供することを技術的課題とする。
【課題を解決するための手段】
【００１８】
本発明は、前記の課題を実現するため、蒸留水と乾ティッシュがそれぞれ密閉状態に分離包装され、必要なときに前記蒸留水を前記乾ティッシュに注いで使用できるようにしたことを特徴とする乳幼児用ウェットティッシュを解決方法として提供する。
【００１９】
好ましくは、前記蒸留水は３次蒸留水であっても良い。
【００２０】
好ましくは、前記乾ティッシュは純綿材質であっても良い。
【００２１】
好ましくは、前記乾ティッシュは天然レーヨン材質であっても良い。
【００２２】
好ましくは、前記乾ティッシュを１０〜５０枚積層して包装しても良い。
【００２３】
また、本発明は、前記の課題を実現するため、必要なときに３次蒸留水を乾ティッシュに注いでウェットティッシュとして使用できるよう、３次蒸留水と乾ティッシュがそれぞれ密閉状態に分離包装されたことを特徴とする乳幼児用ウェットティッシュの取扱方法を解決方法として提供する。
【００２４】
好ましくは、前記乾ティッシュは純綿材質であっても良い。
【００２５】
好ましくは、前記乾ティッシュは天然レーヨン材質であっても良い。
【発明の効果】
【００２６】
前記の解決方法を提供する本発明に係る乳幼児用ウェットティッシュ及びその取扱方法によると、３次蒸留水と純綿または天然レーヨン材質の乾ティッシュがそれぞれ密閉状態に分離包装され、必要なときに前記３次蒸留水を前記純綿または天然レーヨン材質の乾ティッシュに注いで使用できるようにすることで、次のような効果を有する。
【００２７】
まず、本発明に係る乳幼児用ウェットティッシュは、化学添加物を入れない３次蒸留水を使用し、従来の防腐剤、殺菌剤、界面活性剤、保湿剤といった化学添加物を使用して製造したウェットティッシュとは異なり、防腐剤などの使用による乳幼児の肌への害や不安を一挙に解決する。即ち、弱くて敏感な肌を持つ乳幼児に安心して使用できるようにする。
【００２８】
次に、本発明に係る乳幼児用ウェットティッシュは、必要なときに作ってすぐ使うタイプで、化学添加物を入れない３次蒸留水と天然レーヨン材質の乾ティッシュを使用し、従来の予め作っておき、必要なときに使うタイプで、防腐剤や殺菌剤などを使用して製造したウェットティッシュに比べても、使用するに支障のない、ある程度の期間を確保することができる。即ち、不純物が全くないため細菌を運搬できない３次蒸留水と、脱糖・脱脂過程を経て製造されるため細菌の生存及び繁殖の環境を作らない、或いは劣悪にする天然レーヨン材質の乾ティッシュとからウェットティッシュを製造するため、腐敗が極めて徐々に進む。従って、防腐剤を使わないのに従来に比べ、ウェットティッシュの腐敗の抑制持続時間を著しく延ばせるだけでなく、必要なときに乾ティッシュに３次蒸留水を注ぎ、ウェットティッシュを製造してすぐ使うので、製造されたウェットティッシュを使い切れず、捨てることをないようにする、或いは最小にする。
【００２９】
また、本発明に係る乳幼児用ウェットティッシュは、化学添加物を入れない３次蒸留水と純綿または天然レーヨン材質の乾ティッシュを使用し、従来の防腐剤、殺菌剤、界面活性剤、保湿剤といった化学添加物を使用して製造したウェットティッシュに比べ、肌洗浄力及び保湿力が更に向上し、肌の発疹及び炎症の治療にも優れている。更に製造過程で発生する熱で乳幼児に優しくマッサージするなど、肌に全般的に良い影響を与える。即ち、従来のウェットティッシュと異なり、化学添加物を入れないので弱くて敏感な乳幼児の肌に悪影響を与えないだけでなく、不純物が全くないので、どの水よりも溶解能力の高い３次蒸留水の特性から、人体の肌に刺激を与えず、肌自体を除いた全ての不純物を除去する洗浄効果が優れる。また、低分子集団の水という３次蒸留水の特性から、大きい浸透力で乾ティッシュにムラなく、かつ、早く吸収される際に熱が発生するので、必要なときに温かい状態のウェットティッシュを乳幼児に拒否感なく、優しい感じでマッサージしながら使うことができる。更に、強い浸透力で人体の細胞に水分を上手く供給することができるため、肌に接触したときに毛穴を防ぐことなく浸透し、また、肌に浸透した状態を保つ保湿力も良いので肌を健康にさせる。
【００３０】
従って、問題となる防腐剤、殺菌剤、界面活性剤、保湿剤といった化学添加物を使用せず、肌に対する安全性を確保することにより、乳幼児のお尻だけでなく、目や口、鼻などを安心して洗ってあげることができる。その上、３次蒸留水により、化学添加物から得られる肌保湿や洗浄などの作用効果はそのまま発揮でき、更にその作用効果を向上させて、乳幼児の肌保護のみならず、有害成分から健康を守ることになる。
【図面の簡単な説明】
【００３１】
【図１】図１は、ティッシュと水を別にして一つのパッケージの中に入れ、ユーザーが使う際に棒状の水筒中の無防腐剤水を破裂させることで、ティッシュに水分を含ませる従来の棒状の水筒と共に包装された無防腐剤の使い捨てティッシュを示す図面である。
【図２】図２は、本発明の実施例に係る乳幼児用ウェットティッシュを製造する過程を示す図面である。
【図３】図３は、天然レーヨン材質の乾ティッシュに浄水を注いだ従来のウェットティッシュ及び３次蒸留水を注いだ本発明の実施例に係る乳幼児用ウェットティッシュにおける細菌の発生過程を示すグラフである。
【図４】図４は、天然レーヨン材質の乾ティッシュに浄水を注いだ従来のウェットティッシュにおける細菌の発生過程を示す画像である。
【図５】図５は、天然レーヨン材質の乾ティッシュに浄水を注いだ従来のウェットティッシュにおける細菌の発生過程を示す画像である。
【図６】図６は、天然レーヨン材質の乾ティッシュに３次蒸留水を注いだ本発明の実施例に係る乳幼児用ウェットティッシュにおける細菌の発生過程を示す画像である。
【図７】図７は、天然レーヨン材質の乾ティッシュに３次蒸留水を注いだ本発明の実施例に係る乳幼児用ウェットティッシュにおける細菌の発生過程を示す画像である。
【発明を実施するための最良の形態】
【００３２】
以下、図面を参照して本発明の好ましい実施例を詳細に説明するが、これは本発明の属する技術分野における通常の知識を有する者が容易に実施できるよう、詳細に説明するためのものであって、これによって本発明の技術的思想や範囲が制限されるものではない。
【００３３】
一般的にウェットティッシュは、ティッシュ幅で裁断された原反を畳み、複数枚を積層して製造するが、その過程で防腐剤といった化学添加物の入った水を含ませ、ビニールパックの中に包装して流通させる。
【００３４】
かかるウェットティッシュは、製造される時点から空気中のウイルスやカビなどに晒されて腐敗が始まり、長く経たないうちに使用できなくなるため、必ず防腐剤を添加して製造せざるを得なかった。
【００３５】
これに対し、本発明の実施例に係る乳幼児用ウェットティッシュにおいては、乳幼児に使うウェットティッシュに、防腐剤、殺菌剤、界面活性剤、保湿剤などといった化学添加物を使用しないことにより、従来、それらの化学添加物を使用することによって発生する問題を解決し、必要なときに蒸留水、好ましくは３次蒸留水を入れ、従来の化学添加物を使用することで得られる作用効果をそのまま、または更に良く発揮するようにする。
【００３６】
本発明の実施例に係る乳幼児用ウェットティッシュでは、従来のウェットティッシュとは異なり、予め乾ティッシュに水を含ませてウェットティッシュを作っておき、必要なときに使うタイプではなく、必要なときに乾ティッシュに水を注ぎ、ウェットティッシュを製造してすぐ使うタイプを採用する。
【００３７】
また、本発明の実施例に係る乳幼児用ウェットティッシュでは、従来のウェットティッシュとは異なり、化学添加物を入れた生水や濾過水、或いは沸かしたお湯ではなく、化学添加物を全く入れない３次蒸留水を使用し、好ましくは１００％純綿または天然レーヨン材質の乾ティッシュと調和を図るようにする。
【００３８】
水は多くの物を溶かすため、水道水や泉水、河川水などは各種有機物及び無機物を含んでおり、純粋な水と言えない。従って、純粋な水が必要なときは蒸留水を作って使用する。
【００３９】
かかる蒸留水は、お湯を沸かして水蒸気にし、また水蒸気を冷まして集めることにより、元々、水中にあったミネラル物質や合成化学物質、有害中金属、殺虫剤、塩素、フッ化物のような有害な全ての汚染物質、及びバクテリアやウイルスの死体のように気化のできない多くの不純物を除去した水である蒸留水または１次蒸留水と、様々なフィルタを用いて不純物を除去し、逆浸透圧（ｒｅｖｅｒｓｅ  ｏｓｍｏｓｉｓ）を利用して純水を生成した後、イオン交換樹脂を通してイオンを最大に除去した超純水または３次蒸留水とに分けられる。
【００４０】
ここで、３次蒸留水は、１次蒸留水が単に沸かしたお湯を冷ますことで水のみを集めるのとは異なり、水中にある極微量のイオンも殆ど除去するため、超純水とも言う。一般的に化学実験や生物学実験に使用されるが、使用される水に腐敗を進行させ得る全ての有機物や細菌などが除去され、イオンさえも除去されるので、防腐剤がなくても一時的に腐敗が進行しなくなる。
【００４１】
そのため、本発明の実施例に係る乳幼児用ウェットティッシュの製造に使用される水としては、１次蒸留水と共に、水に腐敗を進行させ得る全ての有機物や細菌などはもちろん、イオンさえ除去された状態の３次蒸留水を使用することができるが、３次蒸留水を使用することが好ましい。
【００４２】
しかし、かかる特性を持つ３次蒸留水の場合においても、一般的なウェットティッシュの製造過程のように最初から乾ティッシュに水を含ませ、ウェットティッシュとして包装すると、製造過程で３次蒸留水に浸透した細菌は浸透圧現象で死んでしまうが、その後、死んだ細菌が細菌の栄養分（餌）となってしまう。また、乾ティッシュとして使用される純綿不織布は、水分を吸収した状態で長時間経つと糖質に変わり、細菌に栄養分を提供したりしながら使用期限中、時間が経つにつれ、変質する可能性が大きいので、使用する必要があるときまで乾ティッシュと蒸留水は互いに分離されていなければならない。
【００４３】
そのため、必要なときに乾ティッシュに水を含ませ、その時点から使用期限が始まるようにするにおいて、純綿材質の乾ティッシュは糖質が発生して細菌の餌として提供され得るが、３次蒸留水と共に使用する場合は特に問題はなく、脱糖・脱脂過程を経て製造される１００％天然レーヨン材質の乾ティッシュの場合には細菌の生存及び繁殖環境を作らない、或いは劣悪であって、ウェットティッシュとして製造しても腐敗が極めて徐々に進むので、本発明の実施例に係る乳幼児用ウェットティッシュを製造するにおいて、乾ティッシュとしては１００％天然レーヨン材質を使用することが好ましい。
【００４４】
図２は、本発明の実施例に係る乳幼児用ウェットティッシュの製造過程を示す図面である。
【００４５】
本発明の実施例に係る乳幼児用ウェットティッシュ１００は、図２に示すように、必要なときに前記３次蒸留水１２１を前記乾ティッシュ１１１に注いでウェットティッシュを作り、それを使用できるよう、前記乾ティッシュ１１１に含浸される前記３次蒸留水１２１が密封状態で収容される合成樹脂材質の３次蒸留水パック１２０と、前記乾ティッシュ１１１を複数枚積層して密封したティッシュケース１１０がそれぞれ密封状態で分離包装される。
【００４６】
また、前記乾ティッシュケース１１０と３次蒸留水パック１２０は、別途の外部容器内に共に収容され、保管及び取り扱いが容易にできる。
【００４７】
本発明の実施例に係る乳幼児用ウェットティッシュ１００は、使い捨てのウェットティッシュ、幼児用ウェットティッシュ、ロール状のウェットティッシュなど、その種類は限定されず、様々な形態で適用することができる。
【００４８】
前記乾ティッシュ１１１としては、一般的にウェットティッシュとして使用される吸収性素材であれば特に限定されないが、本発明の実施例では、例えば綿植物から取れる天然純綿や１００％天然パルプを加工して作った天然レーヨン材質を使用することができる。
【００４９】
ここで、天然レーヨン材質は、単に滅菌処理される純綿材質とは異なり、脱糖・脱脂後に滅菌処理され、防水が容易で携帯が便利な乾ティッシュケース１１０に密封状態で収容される。
【００５０】
純綿は天然レーヨンに比べ、肌刺激や吸収性、そして拭き具合の面で優れているので、弱くて敏感な肌を持つ乳幼児に使うことが好ましいが、水分を吸収した状態で長時間置くと糖質に変わり、細菌に栄養分を提供したりしながら、時間が経つにつれ、変質する可能性がある。 
【００５１】
一方、１００％天然レーヨンは、肌刺激や吸収性、そして拭き具合の面で純綿よりは多少衰えるが、加工過程で脱糖・脱脂過程を経て細菌の生存や繁殖に非常に不利な環境を組成するため、細菌に栄養分を提供せず、腐敗の可能性が非常に低くなる。
【００５２】
そのため、１００％純綿材質の乾ティッシュの場合、必要なときに乾ティッシュに水を注ぎ、その時点から使用期限が始まり、また、純綿材質の乾ティッシュが３次蒸留水と共に使用されるため、時間が経つにつれ、糖質に変わり、細菌に栄養分を提供しながら腐敗する可能性はあるものの、長時間保管しながら、肌刺激や吸収性、そして拭き具合を優先して使用しようとするときに好ましい。
【００５３】
また、１００％天然レーヨン材質の乾ティッシュの場合、肌刺激や吸収性、そして拭き具合の面で純綿よりは多少衰えるが、３次蒸留水と共に使用することにより、ウェットティッシュとして製造されたとき、腐敗が極めて徐々に進むので、比較的に長時間余裕の持って使用しようとするときに好ましい。
【００５４】
かかる乾ティッシュ１１１は、化学添加物が含まれた薬液を含浸させた状態でケース内に収容される従来とは異なり、薬液が含浸されていない乾燥した状態で、防水機能付のティッシュケース１１０内に密封状態で収容され、乾ティッシュに雑菌が繁殖することがないので、長時間清潔な状態を保つことができる。数量は１０枚以上から５０枚以下が好ましく、使い捨てとして１枚づつも可能である。
【００５５】
また、防腐剤、アルコールや次亜塩素酸ナトリウムなどの殺菌剤、プロピレングリコールなどの保湿剤、界面活性剤などが全く入っていない３次蒸留水１２１は、予め乾ティッシュに生水、沸かしたお湯、濾過水などを含浸させた従来とは異なり、３次蒸留水パック１２０に密閉状態で収容され、前記乾ティッシュ１１１とは別々に分離されている。
【００５６】
かかる３次蒸留水１２１が収容される３次蒸留水パック１２０は、その内部に収容された３次蒸留水１２１の外部への漏れや蒸発を防げるものであれば良く、その材質や形状は特に限定されないが、例えばポリエステルやポリエチレン、ポリカーボネートといった合成樹脂剤のパックに形成することができる。
【００５７】
前記のような本発明の実施例に係る乳幼児用ウェットティッシュ１００は、次のような過程を経て製造し、使用することができる。
【００５８】
乾ティッシュ１１１は、１００％純綿または脱糖・脱脂過程を経た天然レーヨン材質の不織布を使用し、ティッシュケースのサイズに畳み、複数を積層して包装し、滅菌処理後に防水機能付きの乾ティッシュケース１１０に包装する。
【００５９】
一般的に新生児から２４ヶ月までウェットティッシュの１日平均使用量は、１０〜２０枚程度であることを考え合わせ、蒸留水、特に３次蒸留水が如何なる成分（有・無機物、イオンなど）も含まないので腐敗が徐々に進んだりはするが、更に安全に使用するように乾ティッシュは１パック当たり４０枚に包装することが好ましく、ユーザーの要求によって１０枚から５０枚まで増減することができる。
【００６０】
水は蒸留水、特に超純水のＨ２Ｏからなる３次蒸留水を使用し、ポリカーボネートまたはポリエチレンを使用した３次蒸留水パック１２０に密封包装する。
【００６１】
浄水や生水を使用すると、細菌や他の分解者の働きによって有機物が分解され、腐敗が早く進み、夏の間には１日以上放置すると変質の可能性があることに対し、３次蒸留水は如何なる成分も含まないので腐敗が徐々に進み、浄水や生水よりは安全に使用できる使用期限が相対的に長くなる。
【００６２】
前記３次蒸留水１２１は、容器当たり２５０ｃｃに包装することが好ましいが、枚数及び季節によって増減することができる。
【００６３】
このようにウェットティッシュ製品の１セットは、図２に示すように乾ティッシュケース１１０の１筒と、３次蒸留水パック１２０の１パックとからなり、それらを１つまたは複数に包装して保管及び流通に便宜を図ることができる。
【００６４】
そして、必要によって使用するときには、乾ティッシュ１１１が収容された乾ティッシュケース１１０の入口を開け、密封された３次蒸留水パック１２０を開放して３次蒸留水１２１を投入した後、乾ティッシュケース１１０の入口を閉じて両手でそっと押すと、純綿または天然レーヨン材質の乾ティッシュが水を早く吸収する性質及び蒸留水の低分子特性によって浸透が早く行われ、すぐに使用することができ、便宜性の高いウェットティッシュとなる。その際、熱が発生するため、必要なときに温かい状態のウェットティッシュを乳幼児に拒否感なく、優しい感じでマッサージしながら使うことができる。
【００６５】
また、蒸留水は低分子集団の水であって人体の細胞に水分を上手く供給できることから肌保湿力も良いので、別に保湿剤を添加しなくてもウェットティッシュで肌を健康にさせる。また、蒸留水は不純物が全くないので、どの水よりも溶解能力が高いことから人体の肌に刺激を与えず、別途の薬品や成分を添加しなくても不純物を除去する洗浄効果が従来のウェットティッシュに比べて優れている。
【００６６】
そして前記のように乾ティッシュ１１１と３次蒸留水１２１が結合する時点から新しい使用期限が実際的に始まるが、蒸留水には不純物が全くないので細菌を運搬できないことから、防腐剤を使用しなくてもウェットティッシュの腐敗を防止する効力の持続時間を従来に比べて著しく遅延させることができ、ウェットティッシュを更に安全に使用することができる。沸かしたお湯や生水を使用する場合、変質の恐れがあり、１〜２日しか使えないこととは異なり、蒸留水と結合した後は常温下で最大１０日以上、一般的なウェットティッシュと同様に乾ティッシュケース１１０の入口を閉じて保管しながら１枚ずつ取り出し、安全に使用することができる。
【００６７】
前記のような本発明の実施例に係るウェットティッシュにおいて、３次蒸留水を使用するため、防腐剤を使用しないことによる効果を確認するために、一般的な浄水器から採取した浄水を入れたウェットティッシュとの細菌数を比較する実験を行った。
【００６８】
まず、１００％天然レーヨン材質の乾ティッシュは１パック当たり４０枚を基準にし、３次蒸留水と浄水の投入量は２５０ｍｌにした。下記のデータは実温下で１０日間、実験を行って得た測定値であり、該当菌数は全て１００ｍｌ当たりの値である。ここで、ＵＰＷとＲＷはそれぞれ３次蒸留水と浄水を示し、その結果は下記の表１の通りである。
【００６９】
【表１】
2014528795.tif 000003
【００７０】
前記表１に示すように本発明の実施例に係るウェットティッシュに使用される３次蒸留水は、１０日経過しても細菌がなくなったり増加したりしなかったことに対し、比較例の浄水の場合は、２日経過してから細菌数が大幅に増加したことを確認した。
【００７１】
それにより、本発明の３次蒸留水を１００％天然レーヨン材質の乾ティッシュに含浸させた場合には、防腐剤を添加しなくても１０日、若しくはその後でも安心して使用することができ、比較例の浄水を乾ティッシュに含浸させた場合に比べ、腐敗防止効果が非常に長く持続することを確認することができた。
【００７２】
図３は、天然レーヨン材質の乾ティッシュに浄水を注いだ従来のウェットティッシュ及び３次蒸留水を注いだ本発明の実施例に係る乳幼児用ウェットティッシュにおける細菌の発生過程を示すグラフであり、図４及び図５は、天然レーヨン材質の乾ティッシュに浄水を注いだ従来のウェットティッシュにおける細菌の発生過程を示す画像である。図６及び図７は、天然レーヨン材質の乾ティッシュに３次蒸留水を注いだ本発明の実施例に係る乳幼児用ウェットティッシュにおける細菌の発生過程を示す画像である。図４及び図５における小さい点々は細菌であり、図６及び図７においては、図４及び図５とは異なり、小さい点々は水粒であって黄色い点々が細菌である。
【００７３】
また、長い間使用せずに保管し、肌刺激や吸収性、そして拭き具合を優先して使用するに好ましい１００％純綿材質の乾ティッシュと、肌刺激や吸収性、そして拭き具合の面では純綿よりは多少衰えるが、腐敗が極めて徐々に進むことから比較的に長い間、時間の余裕を持って使用するに好ましい１００％天然レーヨン材質の乾ティッシュとに対し、１パック当たり４０枚を基準にし、３次蒸留水の投入量は２５０ｍｌにして実験を行った結果は、下記の表２の通りである。
【００７４】
【表２】
2014528795.tif 000004
【００７５】
前記表２に示すように、本発明の３次蒸留水を使用した純綿材質の乾ティッシュと天然レーヨン材質の乾ティッシュ、どちらも１０日経過しても細菌がなくなったり増加したりしなかったが、純綿の場合は、１１日経過してから細菌数が大幅に増加したことを確認した。
【００７６】
それにより、本発明の３次蒸留水を乾ティッシュに含浸させた場合には、純綿または天然レーヨン、どちらも防腐剤を添加しなくても１０日までは安心して使用することができ、この期間内でユーザーの選択幅を広げることができる。
【００７７】
なお、本発明は前記実施例に限定されず、特許請求の範囲に記載される発明の範囲内で様々な変形が可能であり、かかる変形も本発明の範囲内に含まれる。
【符号の説明】
【００７８】
１００  本発明の実施例に係る乳幼児用ウェットティッシュ
１１０  乾ティッシュのケース
１１１  乾ティッシュ
１２０  ３次蒸留水パック
１２１  ３次蒸留水
【図１】
2014528795.tif 000005
【図２】
2014528795.tif 000006
【図３】
2014528795.tif 000007
【図４】
2014528795.tif 000008
【図５】
2014528795.tif 000009
【図６】
2014528795.tif 000010
【図７】
2014528795.tif 000011
【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
防腐剤、殺菌剤、界面活性剤、保湿剤といった化学添加物を全く含まない３次蒸留水と乾ティッシュが、それぞれ密閉状態で分離包装され、
必要なときに前記３次蒸留水を前記乾ティッシュに注ぎ、乳幼児にウェットティッシュとして使用するとき、腐敗を遅延させて防腐剤や殺菌剤なしで使用できる期間を確保し、大人に比べて未成熟で薄く、更に弱くて敏感な肌を持つ乳幼児に使用しても前記３次蒸留水は不純物を全く含まないので肌に刺激を与えず、無害なため、身の何処にも使用することができ、安心できるだけでなく、接触物質が体内に蓄積しやすい肌を持つ乳幼児に使用した後でも前記３次蒸留水の水分が蒸発したら残留物が全くないため、肌に如何なる害も与えないことを特徴とする乳幼児用ウェットティッシュ。
【請求項２】
前記乾ティッシュは、純綿材質であることを特徴とする請求項１に記載の乳幼児用ウェットティッシュ。
【請求項３】
前記乾ティッシュは、天然レーヨン材質であることを特徴とする請求項１に記載の乳幼児用ウェットティッシュ。
【手続補正３】
【補正対象書類名】明細書
【補正対象項目名】０００１
【補正方法】変更
【補正の内容】
【０００１】
本出願は、乳幼児用ウェットティッシュに関するもので、更に詳細には必要なときに乾ティッシュに蒸留水を注ぎ、ウェットティッシュとして使用することができる乳幼児用ウェットティッシュに関するものである。
【手続補正４】
【補正対象書類名】明細書
【補正対象項目名】００１７
【補正方法】変更
【補正の内容】
【００１７】
本発明は、前記のような問題を解決するため、乳幼児に使うウェットティッシュに防腐剤、殺菌剤、界面活性剤、保湿剤といった化学添加物を使用しないことにより、それらの化学添加物を使用することによって発生する問題を解決し、必要なときに３次蒸留水（ｕｌｔｒａ  ｐｕｒｅ  ｗａｔｅｒ）を入れ、化学添加物を使用することで得られる作用効果をそのまま、または更に良く発揮するようにして、弱くて敏感な肌を持つ乳幼児に安心して使用することができる乳幼児用ウェットティッシュを提供することを技術的課題とする。
【手続補正５】
【補正対象書類名】明細書
【補正対象項目名】００１８
【補正方法】変更
【補正の内容】
【００１８】
本発明は、前記の課題を実現するため、防腐剤、殺菌剤、界面活性剤、保湿剤といった化学添加物を全く含まない３次蒸留水と乾ティッシュが、それぞれ密閉状態で分離包装され、必要なときに前記３次蒸留水を前記乾ティッシュに注ぎ、乳幼児にウェットティッシュとして使用するとき、腐敗を遅延させて防腐剤や殺菌剤なしで使用できる期間を確保し、大人に比べて未成熟で薄く、更に弱くて敏感な肌を持つ乳幼児に使用しても前記３次蒸留水は不純物を全く含まないので肌に刺激を与えず、無害なため、身の何処にも使用することができ、安心できるだけでなく、接触物質が体内に蓄積しやすい肌を持つ乳幼児に使用した後でも前記３次蒸留水の水分が蒸発したら残留物が全くないため、肌に如何なる害も与えないことを特徴とする乳幼児用ウェットティッシュを解決方法として提供する。
【手続補正６】
【補正対象書類名】明細書
【補正対象項目名】００１９
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】変更
【補正の内容】
【００２６】
前記の解決方法を提供する本発明に係る乳幼児用ウェットティッシュによると、３次蒸留水と純綿または天然レーヨン材質の乾ティッシュがそれぞれ密閉状態に分離包装され、必要なときに前記３次蒸留水を前記純綿または天然レーヨン材質の乾ティッシュに注いで使用できるようにすることで、次のような効果を有する。
【手続補正１２】
【補正対象書類名】明細書
【補正対象項目名】００２９
【補正方法】変更
【補正の内容】
【００２９】
また、本発明に係る乳幼児用ウェットティッシュは、化学添加物を入れない３次蒸留水と純綿または天然レーヨン材質の乾ティッシュを使用し、従来の防腐剤、殺菌剤、界面活性剤、保湿剤といった化学添加物を使用して製造したウェットティッシュに比べ、肌洗浄力及び保湿力が更に向上し、肌の発疹及び炎症の治療にも優れている。更に製造過程で発生する熱で乳幼児に優しくマッサージするなど、肌に全般的に良い影響を与える。即ち、従来のウェットティッシュと異なり、化学添加物を入れないので弱くて敏感な乳幼児の肌に悪影響を与えないだけでなく、不純物が全くないので、どの水よりも溶解能力の高い３次蒸留水の特性から、人体の肌に刺激を与えず、肌自体を除いた全ての不純物を除去する洗浄効果が優れる。また、低分子集団の水という３次蒸留水の特性から、大きい浸透力で乾ティッシュにムラなく、かつ、早く吸収される際に熱が発生するので、必要なときに温かい状態のウェットティッシュを乳幼児に拒否感なく、優しい感じでマッサージしながら使うことができる。更に、強い浸透力で人体の細胞に水分を上手く供給することができるため、肌に接触したときに毛穴を塞ぐことなく浸透し、また、肌に浸透した状態を保つ保湿力も良いので肌を健康にさせる。
【手続補正１３】
【補正対象書類名】明細書
【補正対象項目名】００３５
【補正方法】変更
【補正の内容】
【００３５】
これに対し、本発明の実施例に係る乳幼児用ウェットティッシュにおいては、乳幼児に使うウェットティッシュに、防腐剤、殺菌剤、界面活性剤、保湿剤などといった化学添加物を使用しないことにより、従来、それらの化学添加物を使用することによって発生する問題を解決し、必要なときに３次蒸留水を入れ、従来の化学添加物を使用することで得られる作用効果をそのまま、または更に良く発揮するようにする。
【手続補正１４】
【補正対象書類名】明細書
【補正対象項目名】００４１
【補正方法】変更
【補正の内容】
【００４１】
そのため、本発明の実施例に係る乳幼児用ウェットティッシュの製造に使用される水としては、水に腐敗を進行させ得る全ての有機物や細菌などはもちろん、イオンさえ除去された状態の３次蒸留水を使用する。
【手続補正１５】
【補正対象書類名】明細書
【補正対象項目名】００５３
【補正方法】変更
【補正の内容】
【００５３】
また、１００％天然レーヨン材質の乾ティッシュの場合、肌刺激や吸収性、そして拭き具合の面で純綿よりは多少衰るが、３次蒸留水と共に使用することにより、ウェットティッシュとして製造されたとき、腐敗が極めて徐々に進むので、比較的に長時間余裕を持って使用しようとするときに好ましい。
【手続補正１６】
【補正対象書類名】明細書
【補正対象項目名】００５４
【補正方法】変更
【補正の内容】
【００５４】
かかる乾ティッシュ１１１は、化学添加物が含まれた薬液を含浸させた状態でケース内に収容される従来とは異なり、薬液が含浸されていない乾燥した状態で、防水機能付のティッシュケース１１０内に密封状態で収容され、乾ティッシュに雑菌が繁殖することがないので、長時間清潔な状態を保つことができる。数量は１０枚以上から５０枚以下が好ましく、使い捨てとして１枚ずつも可能である。
【手続補正１７】
【補正対象書類名】明細書
【補正対象項目名】００６３
【補正方法】変更
【補正の内容】
【００６３】
このようにウェットティッシュ製品の１セットは、図２に示すように乾ティッシュケース１１０のひとつの筒と、３次蒸留水パック１２０の１パックとからなり、それらを１つまたは複数に包装して保管及び流通に便宜を図ることができる。
【手続補正１８】
【補正対象書類名】明細書
【補正対象項目名】００６６
【補正方法】変更
【補正の内容】
【００６６】
そして前記のように乾ティッシュ１１１と３次蒸留水１２１が結合する時点から新しい使用期限が実際的に始まるが、蒸留水には不純物が全くないので細菌を運搬できないことから、防腐剤を使用しなくてもウェットティッシュの腐敗を防止する効力の持続時間を従来に比べて著しく伸延させることができ、ウェットティッシュを更に安全に使用することができる。沸かしたお湯や生水を使用する場合、変質の恐れがあり、１〜２日しか使えないこととは異なり、蒸留水と結合した後は常温下で最大１０日以上、一般的なウェットティッシュと同様に乾ティッシュケース１１０の入口を閉じて保管しながら１枚ずつ取り出し、安全に使用することができる。
【手続補正１９】
【補正対象書類名】明細書
【補正対象項目名】００７４
【補正方法】変更
【補正の内容】
【００７４】
【表２】
2014528795.tif 000012
【国際調査報告】
2014528795.tif 000013
2014528795.tif 000014
2014528795.tif 000015
2014528795.tif 000016